(57)【特許請求の範囲】
【請求項１】
スタンド観客席部と、前記スタンド観客席部の前方に位置する可動観客席ユニットとを備えた観客席構造であって、
前記可動観客席ユニットは、中段観客席部と前段観客席部とを備えており、
前記中段観客席部は、前記スタンド観客席部の前端側に配置された軸受部を支点として回動することで前記中段観客席部の前端側を昇降させる構造であり、
前記中段観客席部の前記前端側を最も下げた際には該前端側は競技フィールドの表面高さより低くなり、前記前段観客席部は前記中段観客席部の下方に収容され、前記中段観客席部に覆われていることを特徴とする観客席構造。
【請求項２】
スタンド観客席部と、前記スタンド観客席部の前方に位置する可動観客席ユニットとを備えた観客席構造であって、
前記可動観客席ユニットは、中段観客席部と前段観客席部とを備えており、
前記中段観客席部は、前記スタンド観客席部の前端側に配置された軸受部を支点として回動することで前記中段観客席部の前端側を昇降させる構造であり、
前記前段観客席部は、複数の観客席の前後の間隔が伸縮可能に構成されており、当該前段観客席部を構成する床部は、前辺の辺長さが後辺の辺長さよりも短い四角形形状であることを特徴とする観客席構造。
【請求項３】
スタンド観客席部と、前記スタンド観客席部の前方に位置する可動観客席ユニットとを備えた観客席構造であって、
前記可動観客席ユニットは、中段観客席部と前段観客席部とを備えており、
前記中段観客席部は、前記スタンド観客席部の前端側に配置された軸受部を支点として回動することで前記中段観客席部の前端側を昇降させる構造であり、
前記前段観客席部は、前記中段観客席部の下方に収容可能に設けられ、かつ複数の観客席の前後の間隔が伸縮可能であるとともに、
当該前段観客席部は、床部と、床部に設置される折畳み式の椅子と、前記床部を支持する支持架構体とを有する複数の客席集合体と、当該客席集合体を前後に移動させる滑動手段とを備えており、
前記床部は、左右の伸縮方向長さが異なり、前側の前記客席集合体が後側の前記客席集合体に入れ子状態に収納されることを特徴とする観客席構造。
【発明の詳細な説明】
【技術分野】
【０００１】
本発明は、スタジアムや競技場の観客席構造に関する。
【背景技術】
【０００２】
近年、スタジアムや競技場において、種々のスポーツやイベントに対応できるよう、観客席を可動化する場合がある。特許文献１には、陸上競技場において、サッカー、ラグビー、アメリカンフットボールなどの球技を行う際に、周回走路であるトラックの一部を覆う位置まで可動観客席を移動させて、フィールドに近い観覧環境を実現した事例が開示されている。この事例では、陸上競技場の外周構造物（スタンド）からフィールド方向へスライド移動可能な可動席ユニットを備えており、可動席ユニットには、起倒する椅子が設置され、可動席ユニットを観客席として使用するときは、これをフィールド側へスライドさせると椅子が連動して新たに座席が設けられる（特許文献１）。可動席ユニットを外周構造物の収容部内に格納するときは、可動席ユニットを収容部内へスライドさせると椅子が連動して倒れる。
また、スタンド観客席の前方部分に観客席を設ける方法として、重機を用いて周回走路やフィールド上に鉄板を敷設し、その上に仮設用の観客席を構築する方法がある。
【先行技術文献】
【特許文献】
【０００３】
【特許文献１】特開平１１−１３２９８号公報
【発明の概要】
【発明が解決しようとする課題】
【０００４】
ところで、サイドスタンドは、陸上トラックのコーナー部分に対向するため、トラック内側のフィールドからの距離が遠い。したがって、サイドスタンドに特許文献１に記載の観客席を設置しても、メインスタンドやバックスタンドと比較して、フィールドとの距離が長くなるため、迫力のある観戦ができない。また、サッカーゴールなどの裏に大きな隙間があると、テレビによる観戦者に臨場感が伝わらないことが多い。
また、周回走路やフィールド上に、鉄板を敷設して観客席を増設する場合、重機等が走行する際に過大な鉛直荷重が加わり、フィールドがダメージを受けるとともに、観客席を増設するたびに、観客席の構築に時間と費用が必要である。
このような観点から、本発明は、サイドスタンドの前方部分に、フィールドの使用状況に応じて、重機を使用することなく、フィールドに近い観客席を短時間で増減させることができる観客席構造を提供することを課題とする。
【課題を解決するための手段】
【０００５】
前記課題を解決するために、本発明は、スタンド観客席部と、前記スタンド観客席部の前方に位置する可動観客席ユニットとを備えた観客席構造であって、前記可動観客席ユニットは、中段観客席部と前段観客席部とを備えており、前記中段観客席部は、前記スタンド観客席部の前端側に配置された軸受部を支点として回動することで前記中段観客席部の前端側を昇降させる構造であり、前記中段観客席部の前記前端側を最も下げた際には該前端側は競技フィールドの表面高さより低くなり、前記前段観客席部は前記中段観客席部の下方に収容され、前記中段観客席部に覆われていることを特徴とする観客席構造である。また、本発明は、スタンド観客席部と、前記スタンド観客席部の前方に位置する可動観客席ユニットとを備えた観客席構造であって、前記可動観客席ユニットは、中段観客席部と前段観客席部とを備えており、前記中段観客席部は、前記スタンド観客席部の前端側に配置された軸受部を支点として回動することで前記中段観客席部の前端側を昇降させる構造であり、前記前段観客席部は、複数の観客席の前後の間隔が伸縮可能に構成されており、当該前段観客席部を構成する床部は、前辺の辺長さが後辺の辺長さよりも短い四角形形状であることを特徴とする観客席構造であってもよい。
このような構成によれば、可動観客席ユニットが、中段観客席部と前段観客席部とを備えた二段構造であるので、サイドスタンドの前方においても競技フィールドの近くまで観客席を配置することができる。
また、中段観客席は、回動支点がスタンド観客席部の前方に位置するので、スタンド観客席部から連続して形成することが出来る。
さらに、中段観客席は、前端をフィールド面近くまで下げると、フィールドの見切りが生じない位置とすることができる。また、中段観客席は、フィールドの利用形態に合わせて前端側の高さを調整することができるともに、前段観客席部を前方に設置することができる。
【０００６】
前記前段観客席部は、複数の客席集合体によって構成するとよい。この場合、前記客席集合体は、床部と、床部に設置された折畳み式の椅子と、前記床部を支持する支持架構体と、当該客席集合体を前後に移動させる滑動手段とを備えていることが好ましい。
また、前記滑動手段は、前記支持架構体の下端部に設けられる車輪と、前記床部の下面に設けられるレール、または前記支持架構体の側面に設けられる伸縮補助部材とを備えていることが好ましい。このような構成によれば、前記前段観客席部の伸縮を円滑に行うことができる。
【０００７】
さらに、前記床部は、左右の伸縮方向の長さが異なり、前側の客席集合体が後側の客席集合体に入れ子状態に収納される構造であって、前記前段観客席部は、前記中段観客席部の下方に収容可能に設けられることが好ましい。
また、スタンド観客席部と可動観客席ユニットは、競技場の周回走路に沿って湾曲部分に設置されることが好ましい。
【発明の効果】
【０００８】
本発明に係る観客席構造によれば、スタンド観客席の前方部分に、上下可能な中段可動観客席部と、伸縮可能な前段観客席部を備えた可動観客席ユニットを設けることで、周回走路やフィールド上に重機を走行させることなく、短時間でフィールド側に観客席を増設することができる。
【図面の簡単な説明】
【０００９】
【図１】第一実施形態に係る観客席構造の陸上競技観覧モードを示した全体平面図である。
【図２】第一実施形態に係る観客席構造の球技観覧モードを示した全体平面図である。
【図３】第一実施形態に係る観客席構造の陸上競技観覧モードを示した断面図である。
【図４】第一実施形態に係る観客席構造の球技観覧モードを示した断面図である。
【図５】第一実施形態に係る観客席構造の客席集合体を示した斜視図である。
【図６】第一実施形態に係る観客席構造の前段観客席部の床部を示した図であって、（ａ）は延伸した状態を示した平面図、（ｂ）は縮退した状態を示した平面図である。
【図７】第二実施形態に係る観客席構造の陸上競技観覧モードを示した全体平面図である。
【図８】第二実施形態に係る観客席構造の球技観覧モードを示した全体平面図である。
【図９】第二実施形態に係る観客席構造の陸上競技観覧モードを示した断面図である。
【図１０】第二実施形態に係る観客席構造の球技観覧モードを示した断面図である。
【図１１】第二実施形態に係る観客席構造の可動観客席ユニットの床部を示した図であって、（ａ）は延伸した状態を示した平面図、（ｂ）は縮退した状態を示した平面図である。
【発明を実施するための形態】
【００１０】
［第一実施形態］
本発明に係る第一実施形態の観客席構造は、内側のフィールドの近くまで観客席を配置できるよう、スタンド観客席部の前方に設けた可動観客席ユニットを、中段観客席部と前段観客席部の二段構造としたものである。
【００１１】
図１〜図６を参照しながら、第一実施形態に係る観客席構造１の構成を説明する。観客席構造１は、競技場などの大空間施設に適用される。本実施形態では、陸上競技場のサイドスタンドに適用した場合を例に挙げて説明する。観客席構造１は、陸上競技観覧モード（図１および図３参照）と球技観覧モード（図２および図４参照）とを切替え可能に構成されている。
図１に示す陸上競技観覧モードは、トラック２ｂを用いた競技を観覧するモードである。図２に示す球技観覧モードは、サッカーやラグビーなど、トラックの内側のフィールド２ａで行われる球技を観覧するモードである。球技観覧モードでは、後記する可動観客席ユニット２０が、フィールド２ａの近傍まで前方に張り出している。
【００１２】
図１乃至図４に示すように、観客席構造１は、スタンド観客席部１０と、可動観客席ユニット２０とを備えている。
スタンド観客席部１０は、競技フィールド２の周囲に構築された固定観客席である。可動観客席ユニット２０は、座席の左右方向に所定の長さで形成されており、スタンド観客席部１０の前端に沿って、複数配列されている。
図３および図４に示すように、床部１１と観客席１２とを備えている。
床部１１は、たとえば鉄筋コンクリート造にて構成されており、競技フィールド２に向かうに連れて低くなるように階段状を呈している。なお、床部１１は、階段状に限定されるものではなく、スロープ状であってもよい。
観客席１２は、床部１１の表面に固定されている。スタンド部１０の下方には、運営室やロッカールームなどの居室（図示せず）の他、通路、階段、トイレ、売店や機械室など、種々のスペース（図示せず）が設けられている。
【００１３】
可動観客席ユニット２０は、図３、図４に示すように、スタンド観客席部１０の前方に配置される中段観客席部２１と、中段観客席部２１の前方に配置可能な前段観客席部３１とを備えている。
中段観客席部２１は、スタンド観客席部１０の前端側に配置された軸受部２２を介して、当該中段観客席部２１の前端側が昇降可能に構成されている。図３に示すように、中段観客席部２１は、複数の観客席２４が支持部材２３で支持されている。
支持部材２３は、スタンド観客席部１０の前端部から前方に向かって延出する支持アーム２５と、支持アーム２５を回動させる伸縮ジャッキ２６と、階段状に配置された複数の床部２７とを備えている。
支持アーム２５は、前後方向に延在しており、床部２７および観客席２４を支持した状態で回動する。図示は省略するが、支持アーム２５は、左右方向に所定間隔をあけて複数設けられている。支持アーム２５のスタンド側の端部（後端部）は、軸受部２２にて回動可能に連結されている。支持アーム２５が軸受部２２を支点として回動することで、支持アーム２５のフィールド側の端部（前端部）が上下移動する。
伸縮ジャッキ２６は、支持アーム２５を回動させる部材であり、支持アーム２５の下側に設けられている。伸縮ジャッキ２６の後端部は、スタンド観客席部１０の前端部にピン結合され、伸縮ジャッキ２６の前端部は、支持アーム２５の長手方向中間部近傍にピン結合されている。伸縮ジャッキ２６が伸長すると、支持アーム２５の前端部が上昇し、伸縮ジャッキ２６が縮退すると、支持アーム２５の前端部が下降する。
以下において、支持アーム２５の前端部が上昇したときの位置を「高座席位置」（図４参照）といい、支持アーム２５の前端部が下降したときの位置を「低座席位置」（図３参照）という。
【００１４】
床部２７は、観客席２４の列ごとに形成されている。各床部２７は、左右（図３，４において紙面垂直方向）に隣り合う支持アーム２５に架け渡されている。床部２７の上面は、水勾配で傾斜しているものの、略水平である。最上段の床部２７とスタンド観客席部１０の最下段（最前列）の床面との段差は、歩行可能な高さに設定されている。
床部２７は、支持アーム２５に対して回動可能であり、支持アーム２５が回動したときでも略水平状態が維持される。
中段観客席部２１の傾斜角度は、高座席位置にあるときの方が低座席位置にあるときより緩やかになっている。
支持アーム２５の前端部の下方には、競技フィールド２の表面よりも掘り込まれた溝部２８が形成されている。中段観客席部２１が低座席位置にあるときは、支持アーム２５の前端部が溝部２８に入り込み、最前列の床部２７の床面が競技フィールド２の表面高さに近い位置となる（図３参照）。
観客席２４は、床部２７の表面に固定され、着脱したり折り畳む必要がない。
【００１５】
前段観客席部３１は、中段観客席部２１の下部に収容可能であるとともに、中段観客席部２１の前方位置と中段観客席部２１の下方位置との間で前後移動可能である。本実施形態の前段観客席部３１は、ロールバック式の座席構造を備えていて、前後方向に伸縮可能である。
図４に示すように、前段観客席部３１は、階段状に配置される複数列の客席集合体３２，３２・・を備えている。なお、前段観客席部３１の前端には、着脱式の手摺５が設けられている。
前側の客席集合体３２は、その後側の客席集合体３２の内側（下側）に入れ子状に収容可能である。各客席集合体３２を順次後側の客席集合体３２の内側（下側）に収容すると、図３に示すように、前段観客席部３１が縮んだ状態となる。縮んだ状態の前段観客席部３１は、中段観客席部２１の下方に収容される。
【００１６】
図５に示すように、客席集合体３２は、折畳み式の椅子（観客席３３）と、観客席３３が設置される床部３４と、床部３４の支持架構体３５と、客席集合体３２を前後に移動させる滑動手段３６とを備えている。
観客席３３は、使用状態（図４参照）から水平状態（図３参照）へと折畳み可能となっており、前側の客席集合体３２が後側の客席集合体３２の内側に収容される際に折り畳まれる。
【００１７】
床部３４は、支持架構体３５の上面に設置される板状部材からなる。図６（ｂ）に示すように、床部３４は、左右方向に長い四角形形状を呈している。本実施形態では、左右の短辺のうち、サイドスタンド中央寄りの短辺（図６においては左側の短辺）の辺長さＬ１が、他方の短辺の辺長さＬ２より長くなっている。
また、図６（ａ）に示すように、床部３４の前辺３４ａと後辺３４ｂとが非平行になっているので、床部３４の一端側の幅寸法（伸縮方向長さ）Ｓ１は、他端側の幅寸法Ｓ２よりも大きくなっている。
本実施形態では、このような床部３４を前後に複数連ねているので、前段観客席部３１の図中左側（サイドスタンド中央寄り）の全体長さＡ１は、図中右側（外側寄り）の全体長さＡ２よりも長くなる。つまり、前段観客席部３１を前方に延伸させると、前段観客席部３１の図中左側（サイドスタンド中央側）の前端Ｆ１は、図中右側の前端Ｆ２を通り且つ伸縮方向に直交する仮想線Ｌよりも前方に位置することになる。
【００１８】
本実施形態では、各床部３４の前辺３４ａと後辺３４ｂとを比較すると、前辺３４ａの辺長さＬ３は、後辺３４ｂの辺長さＬ４よりも短くなっている。
また、前後に隣り合う客席集合体３２，３２についてみると、前側の客席集合体３２の床部３４の後辺３４ｂと、後側の客席集合体３２の床部３４の前辺３４ａとが、同等の長さになっている。また、前側の客席集合体３２の床部３４の左辺（左側の短辺）３４ｃと、後側の客席集合体３２の床部３４の左辺３４ｃとは、平行である。さらに、前側の客席集合体３２の床部３４の右側の短辺３４ｄと、後側の客席集合体３２の床部３４の右側の短辺３４ｄとは、平行である。これによって、前方に延伸したときの前段観客席部３１は、平面視で、前方に向かうに連れて左右方向長さが短くなる形状となる。これによって、図２に示すような、全体としてカーブした配置が実現できる。
【００１９】
支持架構体３５は、図５に示すように、左右一対の支柱３７，３７と、支柱３７，３７に架け渡された梁３８とを備えてなる。支柱３７は、たとえば角パイプなどの鋼材からなる。左右の支柱３７，３７は、同じ高さである。前側の客席集合体３２の支柱３７の高さは、後側の客席集合体３２の支柱３７の高さよりも前段観客席部３１の一段分低くなっている。
【００２０】
支柱３７の下部には、伸縮方向に延在する脚部４０が設けられている。脚部４０は、左右の支柱３７にそれぞれ設けられている。左右の脚部４０，４０の一方（本実施形態ではサイドスタンド中央寄り）の長さは、他方の脚部４０よりも長い。前側の客席集合体３２の脚部４０，４０は、後側の客席集合体３２の脚部４０，４０の内側に配置されている。
【００２１】
梁３８は、たとえば角パイプなどの鋼材からなる。梁３８は、一対の支柱３７，３７に架設されており、梁３８の左右両端部は、支柱３７よりも外側に突出している。支柱３７と梁３８間には、斜材３７ｂが設けられている。梁３８の長さは、床部３４の後辺３４ｂの辺長さＬ３と同等である。梁３８は、床部３４の後辺３４ｂと平行（言い換えれば、後側の客席集合体３２の床部３４の前辺３４ａと平行）に配置されている。したがって、最後部の客席集合体３２の梁３８は、伸縮方向と交差する方向に架設されている。
【００２２】
滑動手段３６は、客席集合体３２を前後に円滑に移動させるものであって、床部３４の下面に設けられたレール３９と、支持架構体３５の側面に設けられる伸縮補助部材（凹溝材４１ａおよび凸型材４１ｂ）と、車輪４２とを備えている。客席集合体の各床部の床面積が狭い場合は、滑動手段として、車輪とレールの組み合わせ、または車輪と伸縮補助部材を組み合わせたものであっても良い。
レール３９は、支持ローラ部材４３の移動をガイドするものであり、前段観客席部３１の伸縮方向に延在している。後側の客席集合体３２のレール３９は、前側の客席集合体３２の支持ローラ部材４３に載置されている。レール３９は、梁３８の長手方向に間隔をあけて複数設けられている。レール３９の長さは、床部３４の幅寸法（伸縮方向長さ）に対応している。
なお、レール３９の一端は、梁３８に接合してもよい。
【００２３】
支持ローラ部材４３は、梁３８の後側面に固定されており、後側の客席集合体３２のレール３９（床部３４）を下側から支持している。
支持ローラ部材４３は、伸縮方向に回転するローラ４３ａと、ローラ４３ａを回転可能に支持するケーシング４３ｂとを備えている。
ローラ４３ａは、後側の客席集合体３２の縦梁（レール）３９の下面に接している。縦梁３９は、支持ローラ部材４３が伸縮方向に移動する際のレール材の役目を果たす。
【００２４】
伸縮補助部材は、脚部４０の側面に形成された凸型材４１ａと凹溝材４１ｂにて構成されている。
凹溝材４１ａは、脚部４０の内側面に形成されている。凸型材４１ｂは、脚部４０の外側面に形成されている。前側の客席集合体３２の凸型材４１ｂは、後側の客席集合体３２の凹溝材４１ａに入り込み、前後の客席集合体３２，３２が接近あるいは離間する際に凹溝材４１ａ内を滑動する。なお、図示は省略するが、脚部４０の外側面に凹溝材を設け、脚部４０の内側面に凸型材を設けてもよい。
車輪４２は、脚部４０の下面に設けられている。車輪４２は、平面視で伸縮方向に交差する軸部を有しており、客席集合体３２が伸縮方向に走行可能となっている。
【００２５】
次に、各種観覧モードにおける各部の構成を説明する。
（陸上競技観覧モード）
図１および図３に示すように、陸上競技観覧モードでは、伸縮ジャッキ２６が縮退した状態となっており、中段観客席部２１は低座席位置にある。中段観客席部２１の前端部は、  溝部２８に入り込んでいて、最前列の観客席２４が競技フィールド２の表面高さに近い高さに配置される（図３参照）。中段観客席部２１の前段部を溝部２８に挿入すると、中段観客席部２１の傾斜角度を急にできるので、中段観客席部２１の観客は、前列の観客の頭が邪魔にならず、観客席２４から近距離で行われる競技も観覧することができる。
陸上競技観覧モードでは、前段観客席部３１は縮退した状態（複数の客席集合体３２，３２・・同士が重なった状態）で中段観客席部２１の下方に収容される。前段観客席部３１は、中段観客席部２１の下方のスペースの内、後方の収容スペース３０に収容されている。
前段観客席部３１が縮退した状態では、前側の客席集合体３２の支柱３７，３７は、後側の客席集合体３２の支柱３７，３７の内側に配置され、前側の客席集合体３２の脚部４０，４０は、後側の客席集合体３２の脚部４０，４０の内側に入り込む。また、前側の客席集合体３２の床部３４は、後側の客席集合体３２の床部３４の下側に入り込む。このように前段観客席部３１を前後に縮めた状態とすれば、中段観客席部２１の下方に前段観客席部３１を収容できるので、中段観客席部２１の下方のデッドスペースを有効に利用することができる。
【００２６】
（球技観覧モード）
図２および図４に示すように、球技観覧モードでは、伸縮ジャッキ２６が伸長した状態となっており、中段観客席部２１は高座席位置にある。中段観客席部２１の前端部は、上昇していて、前段観客席部３１の最後列と階段状に繋がる高さになっている。中段観客席部２１の傾斜角度は緩やかになり、観客席２４の前後幅は若干広くなっている。
球技観覧モードでは、前段観客席部３１を前方に延伸させた状態にする。すなわち、前側の客席集合体３２を、後側の客席集合体３２から前方に延伸させた状態である。各客席集合体３２は、滑動手段３６の作用によりスムーズかつ正確に移動できる。
【００２７】
以上のような観客席構造１によれば、図２に示すように、可動観客席ユニット２０が、中段観客席部２１と前段観客席部３１とを備えた二段構造であるので、サイドスタンドの前方においても内側のフィールド２ａの近くまで延伸することができる。
特に、図６に示すように、床部３４は、サイドスタンドの中央寄りの幅寸法Ｓ１が、外側寄りの幅寸法Ｓ２より大きいので、サイドスタンドの中央側における前段観客席部３１の延伸長さを、外側の延伸長さより長くできる。つまり、フィールド２ａからの距離が大きいサイドスタンドの中央寄り部分において、前段観客席部３１の延伸長さを大きくしているので、前段観客席部３１の全体をフィールド２ａに近付けることができ、サイドスタンドにおいても、メインスタンドやバックスタンドと比較して遜色のない迫力ある観客席になる。また、サッカーゴールなどの裏に前段観客席部３１を近付けることができるので、観戦者に臨場感を伝えることができる。
【００２８】
また、床部３４の前後幅はスタンド観客席部１０の床部１１や中段観客席部２１の床部２７の前後幅よりも長くなっているので、前方に向かって長い距離を延伸できるとともに、前部空間が広い、ゆったりとした観客席３３を提供できる。
さらに、床部３４の前辺３４ａの辺長さＬ３を、後辺３４ｂの辺長さＬ４よりも短くしたことで、前方に延伸された前段観客席部３１は、平面視で前方に向かうに連れて左右方向長さが短くなる。これによって、隣り合う可動観客席ユニット２０の前段観客席部３１同士が干渉することなく、前方に延伸できる。
【００２９】
［第二実施形態］
第二実施形態の観客席構造は、左右方向に設けられた複数の可動観客席ユニットを一体化するとともに、これらをサイドスタンドの外側部分に設置された軸受部を中心に回動させることで、フィールドからの距離が長いサイドスタンドの中央側における可動観客席ユニットの前端をフィールドに近付けるようにしたものである。
【００３０】
図７〜図１１を参照しながら、第二実施形態に係る観客席構造１０１の構成を説明する。観客席構造１０１は、陸上競技観覧モード（図７および図９参照）と球技観覧モード（図８および図１０参照）とを切替え可能に構成されている。
図７乃至図１０に示すように、観客席構造１０１は、スタンド観客席部１０と、スタンド観客席部１０の前端に沿って配列された複数の可動観客席ユニット１２０とを備えている。各可動観客席ユニット１２０は、座席の左右方向に所定の長さで形成されている複数（本実施形態では４つ）の可動観客席ユニット１２０は、連結されており、連結ユニット体１２１が形成されている。連結ユニット体１２１は、二組形成されており、サイドスタンドの中央部の左右それぞれに配置されている。
【００３１】
隣接する可動観客席ユニット１２０は、其々の可動観客席ユニット１２０の背面に設けられた連結部材１２２で連結されており、複数の可動観客席ユニットを一体として連結ユニット体１２１が設けられている（図７参照）。
また、可動観客席ユニット１２０は、サイドスタンドの外側部分に設置された軸受部１２３を中心に回動可能となっている。
図８に示すように、連結ユニット体１２１をフィールド２ｂ側に回動させた際には、連結ユニット体１２１とスタンド観客席部１０との間に隙間が発生するので、構造フレーム上に床板１１０を架設している。
【００３２】
図９および図１０に示すように、可動観客席ユニット１２０は、ロールバック式の座席構造を備えている。  可動観客席ユニット１２０は、スタンド観客席部１０の前方に配置される。可動観客席ユニット１２０は、階段状に配置される複数列の客席集合体３２ｂ，３２ｂ・・を備えている。客席集合体３２ｂは、二列の観客席３３ａ，３３ｂごとに形成されている。すなわち、一つの客席集合体３２ｂに、前後二列の観客席３３ａ，３３ｂが配置されている。各客席集合体３２ｂは、段差を備えた二段形状を呈している。
なお、可動観客席ユニット１２０の最後部の客席集合体３２ａは、一列の観客席３３ａを備えた一段形状となっている。
【００３３】
客席集合体３２ｂは、観客席３３ａ，３３ｂと、床部１３４と、床部１３４の支持架構体３５とを備えている。
一つの客席集合体３２ｂに配置される前後二列の観客席３３ａ，３３ｂのうち、後部に位置する観客席３３ｂは、折畳み可能となっている。観客席３３ｂは、前側の客席集合体３２ｂの後部が、後側の客席集合体３２ｂの内側に収容される際に折り畳まれる。一方、前部に位置する観客席３３ａは、水平状態にはならない通常の椅子が採用されている。なお、観客席３３ａは、観客席３３ｂと同じ折り畳み式の椅子としてもよい。
【００３４】
床部１３４は、第一実施形態の床部と同様に、支持架構体３５の上面に設けられる板状部材からなる。図１１に示すように、床部１３４は、段差を備えているが、平面視長方形形状を呈している。床部１３４の下面には、図示はしていないがレールが設けられている。前側の客席集合体３２ｂの床部１３４の左右方向長さは、後側の客席集合体３２ｂの床部１３４の左右方向長さよりも短い。
【００３５】
支持架構体３５は、支柱３７と、支柱３７に支持された梁（図示せず）と、支柱３７の下部に設けられた脚部４０とを備えている。
客席集合体３２ｂのその他の構成については、第一実施形態と同様であるので、同じ符号を付して説明を省略する。
【００３６】
（陸上競技観覧モード）
図７および図９に示すように、陸上競技観覧モードでは、連結ユニット体１２１は、スタンド観客席部１０の前端面に接した状態となっている。可動観客席ユニット１２０の客席集合体３２ｂが後方に下がって、前側の客席集合体３２ｂの後部が、後側の客席集合体３２ｂの前部の下方に入り込んでいる。このとき、客席集合体３２ｂの後部の観覧席３３ｂは水平状態に折り畳まれて、後側の客席集合体３２ｂの前部の下方に収容されている。この状態の可動観客席ユニット１２０は、トラック２ａを囲むように配置されている。
このような可動観客席ユニット１２０では、前後の観客席３３ａ，３３ａ間の高低差が通常の二段分の高さとなるので、可動観客席ユニット１２０の傾斜角度を急角度にできる。これによって、可動観客席ユニット１２０の観客は、前列の観客の頭が邪魔にならず、観客席３３ａから近距離で行われる競技であっても観覧することができる。
【００３７】
（球技観覧モード）
図８および図１０に示すように、球技観覧モードでは、軸受部１２３を中心に連結ユニット体１２１を回動させて。連結ユニット体１２１のサイドスタンドの中央寄りの部分をフィールド２ｂに近付ける。このとき、連結ユニット体１２１は、可動観客席ユニット１２０が一体化されているので、各可動観客席ユニット１２０ごとに位置決めをする必要がなく、容易に回動作業を行うことができる。
連結ユニット体１２１とスタンド観客席部１０との間に発生した隙間に、床面１１０を形成する。
可動観客席ユニット１２０は、各客席集合体３２ｂを前方に移動させて、前側の客席集合体３２ｂの後部を、後側の客席集合体３２ｂの前方に配置させる。客席集合体３２ｂの後部の観覧席３３ｂは使用状態に起立させる。これによって、可動観客席ユニット１２０が前方に延伸して、可動観客席ユニット１２０の前端部がフィールド２ａに近くなる。
【００３８】
以上のような観客席構造１０１によれば、複数の可動観客席ユニット１２０を連結した連結ユニット体１２１を、サイドスタンドの外側部分に設置された軸受部１２３を中心に回動させたことで、フィールド２ｂからの距離が長いサイドスタンドの中央側において、フィールド２ｂの近くに可動観客席ユニットの前端を設けることができる。
また、可動観客席ユニット１２０は、平面視で前方に向かうに連れて左右方向長さが短くなるので、隣り合う可動観客席ユニット１２０の前端部同士が干渉することなく、前方に延伸できる。
さらに、客席集合体３２ｂは、二列ごとに形成されているので、支持架構体の部品点数を減らすことができ、構成の簡略化および軽量化を達成できる。
【００３９】
以上、本発明を実施するための形態について説明したが、前記実施の形態に限定されず、本発明の趣旨を逸脱しない範囲で適宜設計変更が可能である。たとえば、前記第一実施形態では、可動観客席ユニット２０が中段観客席部２１と前段観客席部３１とを備え、前段観客席部３１を中段観客席部２１の下方に収容可能としているが、これに限定されない。中段観客席部２１を形成せずに、前段観客席部３１のみで可動観客席ユニット２０を構成してもよい。この場合、スタンド観客席部１０の前端部の下方に前段観客席部３１の収容空間を形成すれば、前段観客席部３１の不使用時に収容することができる。また、前段観客席部は、一部を延伸して使用することができ、観客席の増減調整ができる。
【符号の説明】
【００４０】
１      観客席構造
１０    スタンド観客席部
２０    可動観客席ユニット
２１    中段観客席部
２２    軸受部
２４    観客席
２５    支持部材
３１    前段観客席部
３２    客席集合体
３３    観客席
３４    床部
３５    支持架構体
３６    滑動手段
３９    レール
４０    脚部（伸縮補助部材）
４２    車輪
【図１】
0006425489.tif 000002
【図２】
0006425489.tif 000003
【図３】
0006425489.tif 000004
【図４】
0006425489.tif 000005
【図５】
0006425489.tif 000006
【図６】
0006425489.tif 000007
【図７】
0006425489.tif 000008
【図８】
0006425489.tif 000009
【図９】
0006425489.tif 000010
【図１０】
0006425489.tif 000011
【図１１】
0006425489.tif 000012